(57)【要約】【課題】記録装置に収容した記録媒体に対応する設定を正確に行えるようにする。【解決手段】記録システム２ａの記録装置１は、収容したロール紙に設けられたＲＦＩＤタグから情報を読み取るタグ通信装置１６とロール紙に記録する記録ヘッド１０と、タグ通信装置１６の読取結果に基づいて媒体設定情報を取得し、取得した情報に基づいて記録媒体に関する設定を行い、媒体設定情報を送信する制御部３０と、を有し、ホストコンピューター３は、媒体設定情報を受信し、受信した情報に基づいて記録媒体に関する設定を行う制御装置制御部５０を有する。【選択図】図３
2016036916.tif 000002
【特許請求の範囲】
【請求項１】
収容した記録媒体に設けられたＩＣタグから、前記記録媒体に関する情報を無線通信で読み取る無線通信部と、
前記記録媒体に記録する記録部と、
前記無線通信部の読取結果に基づいて前記記録媒体に関する情報を取得し、取得した情報に基づいて前記記録媒体に関する設定を行い、前記記録媒体に関する情報を送信する制御部と、を有する記録装置と、
前記記録装置で送信された前記記録媒体に関する情報を受信し、受信した情報に基づいて前記記録媒体に関する設定を行う制御装置制御部を有する制御装置と、
を備えることを特徴とする記録システム。
【請求項２】
前記記録装置は、情報を報知する報知部を備え、
前記記録装置の前記制御部は、
前記記録媒体に関する設定が完了した場合、前記報知部に、その旨、報知させることを特徴とする請求項１に記載の記録システム。
【請求項３】
前記記録媒体に関する情報は、前記記録媒体に関する設定項目の設定値を示す情報であることを特徴とする請求項１又は２に記載の記録システム。
【請求項４】
前記記録媒体に関する情報は、前記記録媒体の識別情報であり、
前記記録装置は、前記識別情報と、前記記録媒体に関する設定項目の設定値を示す情報とを対応付けて記憶する記憶部を備え、
前記制御装置は、前記識別情報と、前記記録媒体に関する設定項目の設定値を示す情報とを対応付けて記憶する制御装置記憶部を備え、
前記記録装置の前記制御部は、前記無線通信部の読取結果に基づいて前記識別情報を取得し、取得した前記識別情報と前記記憶部に記憶された情報とに基づいて前記記録媒体に関する設定項目の設定値を取得し、取得した設定値に基づいて、前記記録媒体に関する設定を行い、前記識別情報を送信し、
前記制御装置の前記制御装置制御部は、前記記録装置で送信された前記識別情報を受信し、受信した情報と前記制御装置記憶部に記憶された情報とに基づいて前記記録媒体に関する設定項目の設定値を取得し、取得した設定値に基づいて、前記記録媒体に関する設定を行う
ことを特徴とする請求項１又は２に記載の記録システム。
【請求項５】
前記無線通信部は、ＩＣタグに情報を書き込む機能を有し、
前記記録装置の前記制御部は、
前記無線通信部を制御して、収容した前記記録媒体に設けられたＩＣタグに、前記記録媒体の残量に関する情報を書き込むことを特徴とする請求項１乃至４のいずれか１項に記載の記録システム。
【請求項６】
記録装置が、
無線通信部によって、収容した記録媒体に設けられたＩＣタグから、前記記録媒体の識別情報を無線通信で読み取り、制御部によって、前記無線通信部の読取結果に基づいて前記識別情報を取得し、取得した前記識別情報を制御装置に送信し、
前記制御装置が、
制御装置制御部によって、記録装置で送信された前記識別情報を受信し、受信した前記識別情報を管理装置に送信し、
前記管理装置が、
管理装置制御部によって、前記制御装置で送信された前記識別情報を受信し、受信した前記識別情報に基づいて前記記録媒体に関する設定項目の設定値を示す設定値情報を取得し、取得した前記設定値情報を前記制御装置に送信し、
前記制御装置が、
前記制御装置制御部によって、前記管理装置で送信された前記設定値情報を受信し、受信した前記設定値情報に基づいて前記記録媒体に関する設定を行い、受信した前記設定値情報を前記記録装置に送信し、
前記記録装置が、
前記制御装置によって、前記制御装置で送信された前記設定値情報を受信し、受信した前記設定値情報に基づいて前記記録媒体に関する設定を行うことを特徴とする記録システム。
【請求項７】
記録装置が、
無線通信部によって、収容した記録媒体に設けられたＩＣタグから、前記記録媒体の識別情報を無線通信で読み取り、制御部によって、前記無線通信部の読取結果に基づいて前記識別情報を取得し、取得した前記識別情報を管理装置に送信し、
前記管理装置が、
管理装置制御部によって、記録装置で送信された前記識別情報を受信し、受信した前記識別情報に基づいて前記記録媒体に関する設定項目の設定値を示す設定値情報を取得し、取得した前記設定値情報を制御装置に送信し、
前記制御装置が、
制御装置制御部によって、前記管理装置で送信された前記設定値情報を受信し、受信した前記設定値情報に基づいて前記記録媒体に関する設定を行い、受信した前記設定値情報を前記記録装置に送信し、
前記記録装置が、
前記制御部によって、前記制御装置で送信された前記設定値情報を受信し、受信した前記設定値情報に基づいて前記記録媒体に関する設定を行うことを特徴とする記録システム。
【請求項８】
記録装置が、
無線通信部によって、収容した記録媒体に設けられたＩＣタグから、前記記録媒体の識別情報を無線通信で読み取り、制御部によって、前記無線通信部の読取結果に基づいて前記識別情報を取得し、取得した前記識別情報を管理装置に送信し、
前記管理装置が、
管理装置制御部によって、前記記録装置で送信された前記識別情報を受信し、受信した前記識別情報に基づいて前記記録媒体に関する設定項目の設定値を示す設定値情報を取得し、取得した前記設定値情報を前記記録装置に送信し、
前記記録装置が、
前記制御部によって、前記管理装置で送信された前記設定値情報を受信し、受信した前記設定値情報に基づいて前記記録媒体に関する設定を行い、受信した前記設定値情報を制御装置に送信し、
前記制御装置が、
制御装置制御部によって、前記記録装置で送信された前記設定値情報を受信し、受信した前記設定値情報に基づいて前記記録媒体に関する設定を行うことを特徴とする記録システム。
【請求項９】
収容した記録媒体に設けられたＩＣタグから、前記記録媒体に関する情報を無線通信で読み取る無線通信部と、
前記記録媒体に記録する記録部と、
前記無線通信部の読取結果に基づいて前記記録媒体に関する情報を取得し、取得した情報に基づいて前記記録媒体に関する設定を行う制御部と、
を備えることを特徴とする記録装置。
【発明の詳細な説明】
【技術分野】
【０００１】
本発明は、記録システム、及び、記録装置に関する。
【背景技術】
【０００２】
従来、記録媒体を収容し、収容した記録媒体の紙質を自動で判定する記録装置（印刷装置）が知られている（例えば、特許文献１参照）。
一般に、記録装置は、ホストコンピューター等の制御装置に接続され、制御装置の制御で、記録等の各種処理を実行する。
【先行技術文献】
【特許文献】
【０００３】
【特許文献１】特開２００３−５４０７５号公報
【発明の概要】
【発明が解決しようとする課題】
【０００４】
上述した記録システムのように、記録媒体を収容する記録装置を備えるシステムでは、記録装置、及び、制御装置に対して、記録装置に収容した記録媒体に応じた設定を行う必要がある。当該設定に誤りがあれば、画像が想定された位置と異なる位置に記録される等の原因となるため、当該設定は、正確に行う必要がある。
本発明は、上述した事情に鑑みてなされたものであり、記録装置に収容した記録媒体に対応する設定を正確に行えるようにすることを目的とする。
【課題を解決するための手段】
【０００５】
上記目的を達成するために、本発明の記録システムは、収容した記録媒体に設けられたＩＣタグから、前記記録媒体に関する情報を無線通信で読み取る無線通信部と、前記記録媒体に記録する記録部と、前記無線通信部の読取結果に基づいて前記記録媒体に関する情報を取得し、取得した情報に基づいて前記記録媒体に関する設定を行い、前記記録媒体に関する情報を送信する制御部と、を有する記録装置と、前記記録装置で送信された前記記録媒体に関する情報を受信し、受信した情報に基づいて前記記録媒体に関する設定を行う制御装置制御部を有する制御装置と、を備えることを特徴とする。
本発明の構成によれば、記録装置に収容した記録媒体に対応する設定を正確に行える。
【０００６】
また、本発明の記録システムは、前記記録装置は、情報を報知する報知部を備え、前記記録装置の前記制御部は、前記記録媒体に関する設定が完了した場合、前記報知部に、その旨、報知させることを特徴とする。
本発明の構成によれば、設定が完了したときに、そのことをユーザーに認識させることができる。
【０００７】
また、本発明の記録システムは、前記記録媒体に関する情報は、前記記録媒体に関する設定項目の設定値を示す情報であることを特徴とする。
本発明の構成によれば、記録装置に収容した記録媒体に対応する設定を正確に行える。
【０００８】
また、本発明の記録システムは、前記記録媒体に関する情報は、前記記録媒体の識別情報であり、前記記録装置は、前記識別情報と、前記記録媒体に関する設定項目の設定値を示す情報とを対応付けて記憶する記憶部を備え、前記制御装置は、前記識別情報と、前記記録媒体に関する設定項目の設定値を示す情報とを対応付けて記憶する制御装置記憶部を備え、前記記録装置の前記制御部は、前記無線通信部の読取結果に基づいて前記識別情報を取得し、取得した前記識別情報と前記記憶部に記憶された情報とに基づいて前記記録媒体に関する設定項目の設定値を取得し、取得した設定値に基づいて、前記記録媒体に関する設定を行い、前記識別情報を送信し、前記制御装置の前記制御装置制御部は、前記記録装置で送信された前記識別情報を受信し、受信した情報と前記制御装置記憶部に記憶された情報とに基づいて前記記録媒体に関する設定項目の設定値を取得し、取得した設定値に基づいて、前記記録媒体に関する設定を行うことを特徴とする。
本発明の構成によれば、記録装置に収容した記録媒体に対応する設定を正確に行える。
【０００９】
また、本発明の記録システムは、前記無線通信部は、ＩＣタグに情報を書き込む機能を有し、前記記録装置の前記制御部は、前記無線通信部を制御して、収容した前記記録媒体に設けられたＩＣタグに、前記記録媒体の残量に関する情報を書き込むことを特徴とする。
本発明の構成によれば、ＩＣタグに書き込んだ情報に基づいて、記録媒体の残高に関する情報を取得できる。
【００１０】
また、上記目的を達成するために、本発明の記録システムは、記録装置が、無線通信部によって、収容した記録媒体に設けられたＩＣタグから、前記記録媒体の識別情報を無線通信で読み取り、制御部によって、前記無線通信部の読取結果に基づいて前記識別情報を取得し、取得した前記識別情報を制御装置に送信し、前記制御装置が、制御装置制御部によって、記録装置で送信された前記識別情報を受信し、受信した前記識別情報を管理装置に送信し、前記管理装置が、管理装置制御部によって、前記制御装置で送信された前記識別情報を受信し、受信した前記識別情報に基づいて前記記録媒体に関する設定項目の設定値を示す設定値情報を取得し、取得した前記設定値情報を前記制御装置に送信し、前記制御装置が、前記制御装置制御部によって、前記管理装置で送信された前記設定値情報を受信し、受信した前記設定値情報に基づいて前記記録媒体に関する設定を行い、受信した前記設定値情報を前記記録装置に送信し、前記記録装置が、前記制御装置によって、前記制御装置で送信された前記設定値情報を受信し、受信した前記設定値情報に基づいて前記記録媒体に関する設定を行うことを特徴とする。
本発明の構成によれば、記録装置に収容した記録媒体に対応する設定を正確に行える。
【００１１】
また、上記目的を達成するために、本発明の記録システムは、記録装置が、無線通信部によって、収容した記録媒体に設けられたＩＣタグから、前記記録媒体の識別情報を無線通信で読み取り、制御部によって、前記無線通信部の読取結果に基づいて前記識別情報を取得し、取得した前記識別情報を管理装置に送信し、前記管理装置が、管理装置制御部によって、記録装置で送信された前記識別情報を受信し、受信した前記識別情報に基づいて前記記録媒体に関する設定項目の設定値を示す設定値情報を取得し、取得した前記設定値情報を制御装置に送信し、前記制御装置が、制御装置制御部によって、前記管理装置で送信された前記設定値情報を受信し、受信した前記設定値情報に基づいて前記記録媒体に関する設定を行い、受信した前記設定値情報を前記記録装置に送信し、前記記録装置が、前記制御部によって、前記制御装置で送信された前記設定値情報を受信し、受信した前記設定値情報に基づいて前記記録媒体に関する設定を行うことを特徴とする。
本発明の構成によれば、記録装置に収容した記録媒体に対応する設定を正確に行える。
【００１２】
また、上記目的を達成するために、本発明の記録システムは、記録装置が、無線通信部によって、収容した記録媒体に設けられたＩＣタグから、前記記録媒体の識別情報を無線通信で読み取り、制御部によって、前記無線通信部の読取結果に基づいて前記識別情報を取得し、取得した前記識別情報を管理装置に送信し、前記管理装置が、管理装置制御部によって、前記記録装置で送信された前記識別情報を受信し、受信した前記識別情報に基づいて前記記録媒体に関する設定項目の設定値を示す設定値情報を取得し、取得した前記設定値情報を前記記録装置に送信し、前記記録装置が、前記制御部によって、前記管理装置で送信された前記設定値情報を受信し、受信した前記設定値情報に基づいて前記記録媒体に関する設定を行い、受信した前記設定値情報を制御装置に送信し、前記制御装置が、制御装置制御部によって、前記記録装置で送信された前記設定値情報を受信し、受信した前記設定値情報に基づいて前記記録媒体に関する設定を行うことを特徴とする。
本発明の構成によれば、記録装置に収容した記録媒体に対応する設定を正確に行える。
【００１３】
また、上記目的を達成するために、本発明の記録装置は、収容した記録媒体に設けられたＩＣタグから、前記記録媒体に関する情報を無線通信で読み取る無線通信部と、前記記録媒体に記録する記録部と、前記無線通信部の読取結果に基づいて前記記録媒体に関する情報を取得し、取得した情報に基づいて前記記録媒体に関する設定を行う制御部と、を備えることを特徴とする。
本発明の構成によれば、記録装置に収容した記録媒体に対応する設定を正確に行える。
【図面の簡単な説明】
【００１４】
【図１】第１実施形態に係る記録装置の要部の構成を示す図。
【図２】ロール紙の一例を示す図。
【図３】記録システムの機能的構成を示すブロック図。
【図４】記録装置、ホストコンピューターの動作を示すフローチャート。
【図５】タグ情報の説明に利用する図。
【図６】第２実施形態に係る記録装置、ホストコンピューターの動作を示すフローチャート。
【図７】媒体ＩＤテーブルを示す図。
【図８】第３実施形態に係る記録システムの機能的構成を示すブロック図。
【図９】記録装置、ホストコンピューター、管理装置の動作を示すフローチャート。
【図１０】第４、第５実施形態に係る記録システムの機能的構成を示すブロック図。
【図１１】第４実施形態に係る記録装置、ホストコンピューター、管理装置の動作を示すフローチャート。
【図１２】第５実施形態に係る記録装置、ホストコンピューター、管理装置の動作を示すフローチャート。
【発明を実施するための形態】
【００１５】
以下、図面を参照して本発明の実施形態について説明する。
【００１６】
＜第１実施形態＞
図１は、本実施形態に係る記録装置１の要部の構成を示す図である。
図１を用いた説明では、矢印で示すように、図中で左へ向かう方向を「前方」とし、図中で右へ向かう方向を「後方」とし、図中で上へ向かう方向「上方」とし、図中で下へ向かう方向を「下方」とする。
記録装置１は、シリアルインクジェットプリンターである。記録装置１は、ロール紙Ｒ（記録媒体）を収容し、ロール紙Ｒを繰り出して搬送方向Ｈに搬送する。記録装置１は、搬送するロール紙Ｒに、シリアルインクジェットヘッドとして構成された記録ヘッド１０（記録部）によりインクを吐出して記録を実行する。
【００１７】
図２（Ａ）は、記録装置１に収容されるロール紙Ｒの一例を示す図である。
図２（Ａ）に示すロール紙Ｒは、帯状の剥離紙Ｒ３に、間隔をあけて複数のシール部Ｒ４が貼付されたラベル用紙である。シール部Ｒ４の裏面は、シールとなっており、シール部Ｒ４は剥離紙Ｒ３から取り剥がすことができる。シール部Ｒ４の長手方向の長さは一定である。また、隣接するシール部Ｒ４の間隔は一定である。
シール部Ｒ４に対応する領域が、画像の記録が可能な領域（ドットの形成が可能な領域）である。記録装置１は、シール部Ｒ４にドットを形成して、画像を記録する。
図２（Ａ）に示すように、ロール紙Ｒの裏面には、シール部Ｒ４のそれぞれに対応して、黒色のマークであるブラックマークＢＭが形成される。
図２（Ａ）に示すロール紙Ｒは、シール部Ｒ４を有する複数のラベルが、長手方向に連続して接続された用紙である。各ラベルは、隣接するシール部Ｒ４とシール部Ｒ４との間隙でロール紙Ｒから切り離されて使用される。
【００１８】
本実施形態では、記録装置１には、図２（Ａ）に示すロール紙Ｒが収容される。
【００１９】
図２（Ｂ）は、記録装置１に収容されるロール紙Ｒの別の一例を示す図である。
図２（Ｂ）に示すロール紙Ｒは、帯状のシートに、間隔を開けて、ギャップ部ＧＰが設けられる。ギャップ部ＧＰは、一方の端にシートを切り欠いて形成されたギャップＧと、他方の端にシートを切り欠いて形成されたギャップＧとを備える。隣接するギャップ部ＧＰの間隔は一定である。
図２（Ｂ）に示すロール紙Ｒは、複数のラベルが、ギャップ部ＧＰを境界として、長手方向に連続して接続された用紙である。各ラベルには、画像の記録が可能な領域（ドットの形成が可能な領域）である記録領域Ａ１が形成される。記録装置１は、記録領域Ａ１にドットを形成して、画像を記録する。各ラベルは、ギャップ部ＧＰに対応する位置でロール紙Ｒから切り離されて使用される。
【００２０】
本実施形態では、図２（Ａ）で例示したロール紙Ｒや、図２（Ｂ）で例示したロール紙Ｒのように、複数のラベルが長手方向に連続して接続された用紙を、「カットラベル」と表現する。
【００２１】
図１に示すように、記録装置１は、ロール紙Ｒを収容するロール紙収容部１１を備える。以下の説明では、ロール紙Ｒのうち、ロール紙収容部１１に収容されたロール状の部分を「ロール体Ｒ１」と表現する。また、ロール紙Ｒのうち、ロール紙収容部１１に収容されたロール体Ｒ１から繰り出されて搬送される部分を「搬送ロール紙Ｒ２」と表現する。
【００２２】
図１に示すように、記録装置１には、搬送ロール紙Ｒ２が搬送される経路である搬送経路１３が形成される。ロール体Ｒ１から繰り出された搬送ロール紙Ｒ２は、搬送経路１３に沿って搬送される。
【００２３】
図１に示すように、搬送経路１３には、搬送方向Ｈにおける上流から下流に向かって３つの搬送ローラー１４１、１４２、１４３が設けられる。搬送ローラー１４１、１４２、１４３のそれぞれに対向する位置には、搬送ローラー１４１、１４２、１４３の回転に従動して回転する従動ローラー１５１、１５２、１５３が設けられる。搬送ロール紙Ｒ２は、搬送ローラー１４１、１４２、１４３と、従動ローラー１５１、１５２、１５３とに挟持され、搬送ローラー１４１、１４２、１４３の回転に応じて、搬送方向Ｈに搬送される。搬送ローラー１４１、１４２、１４３は、動力伝達機構を介して搬送モーター３３（図３）と接続されており、搬送モーター３３の駆動に応じて回転する。
【００２４】
図１に示すように、搬送方向Ｈの最も上流側に設けられた搬送ローラー１４１と、搬送ローラー１４１の下流に設けられた搬送ローラー１４２との間には、案内部材１７が設けられる。案内部材１７は、搬送ロール紙Ｒ２の裏面に接触し、上方へ向かって繰り出された搬送ロール紙Ｒ２を、前方に向かうように屈曲させる。案内部材１７は、搬送ロール紙Ｒ２に接触して屈曲させることにより、搬送ロール紙Ｒ２に張りを与え、搬送ロール紙Ｒ２の弛みが発生することを抑制する。
【００２５】
搬送ローラー１４２の搬送方向Ｈにおける下流には、ブラックマークセンサー１８１が設けられる。ブラックマークセンサー１８１は、図２（Ａ）で例示したロール紙Ｒのように、裏面にブラックマークＢＭが形成されたロール紙Ｒが記録装置１に収容される場合に、ブラックマークＢＭを光学的に検出するセンサーである。制御部３０（図３）は、ブラックマークセンサー１８１の検出値に基づいて、当該センサーの検出位置にブラックマークＢＭが位置した場合、そのことを検出する。制御部３０は、検出結果に基づいて、ロール紙Ｒの位置を管理する。
【００２６】
ブラックマークセンサー１８１の搬送方向Ｈにおける下流には、ギャップセンサー１８２が設けられる。ギャップセンサー１８２は、図２（Ｂ）で例示したロール紙Ｒのように、ギャップ部ＧＰが形成されたロール紙Ｒが記録装置１に収容される場合に、ギャップＧを光学的に検出するセンサーである。制御部３０は、ギャップセンサー１８２の検出値に基づいて、当該センサーの検出位置にギャップＧが位置した場合、そのことを検出する。制御部３０は、検出結果に基づいて、ロール紙Ｒの位置を検出する。
【００２７】
ギャップセンサー１８２の搬送方向Ｈにおける下流には、搬送ローラー１４３が設けられ、搬送ローラー１４３の下流には、記録ユニット１９が設けられる。
記録ユニット１９は、キャリッジ２０と、キャリッジ２０に搭載された記録ヘッド１０とを備える。
キャリッジ２０は、搬送方向Ｈと交差する走査方向Ｙに延びたキャリッジ軸２０ａに支持され、キャリッジ軸２０ａに沿って、走査方向Ｙに記録ヘッド１０を走査する。
記録ヘッド１０は、インクジェットヘッドであり、複数色（例えば、ＣＹＭＫの４色）のノズル列を備える。記録ヘッド１０は、図示しないインクカートリッジからインクの供給を受けて、各ノズル列に設けられたノズルからインクを吐出して搬送ロール紙Ｒ２にドットを形成して画像を記録する。
【００２８】
記録ユニット１９の搬送方向Ｈにおける下流には、カッターユニット２１が設けられる。カッターユニット２１は、固定刃２２と、固定刃２２に対して交叉するように移動可能な可動刃２３とを備える。カッターユニット２１は、可動刃２３を移動させて、搬送ロール紙Ｒ２を切断する。
【００２９】
カッターユニット２１の搬送方向Ｈにおける下流には、排紙口２４が設けられる。搬送ロール紙Ｒ２は、排紙口２４を介して、記録装置１の筐体の外に排出される。
【００３０】
図１に示すように、ロール体Ｒ１の後方には、軸２７を中心として回動するカバー２６が設けられる。カバー２６が開状態となるとロール紙収容部１１が露出し、ロール紙Ｒの交換が可能となる。
カバー２６の下部には、カバー開閉機構２８が設けられる。カバー開閉機構２８は、カバー２６が閉状態のときに、カバー開閉スイッチ３６１（図３）が操作された場合、制御部３０の制御に従って、カバー２６を所定方向に回動させて、カバー２６を開状態とする。また、カバー開閉機構２８は、カバー２６が開状態のときに、カバー開閉スイッチ３６１が操作された場合、制御部３０の制御に従って、カバー２６を所定方向に回動させて、カバー２６を閉状態とする。
【００３１】
図１に示すように、ロール体Ｒ１の前方には、タグ通信装置１６（無線通信部）が設けられる。
ここで、本実施形態では、ロール紙Ｒのロール体Ｒ１の芯の内側には、ＲＦＩＤ（Radio frequency identification）タグＲ６（ＩＣタグ）が設けられる。
タグ通信装置１６は、ＲＦＩＤタグＲ６に対して、データの書き込み、及び、データの読み取りを行う装置である。
タグ通信装置１６は、ＲＦＩＤタグＲ６との間で、無線信号を送受信するアンテナ１６ａと、ＲＦ送受信回路が設けられた装置本体１６ｂと、を備える。
ＲＦＩＤタグＲ６は、タグ通信装置１６等の外部の装置から送信される無線信号を受信するアンテナを備え、このアンテナに誘起される電力によりＩＣを駆動する受動型のＩＣタグである。本実施形態のタグ通信装置１６及びＲＦＩＤタグＲ６は所定のプロトコルに従って無線信号を送受信する。
タグ通信装置１６は、ＲＦＩＤタグＲ６に対するデータの書き込み又はデータの読み出しを行う場合、まず、所定周波数の搬送波を送信し、この搬送波に重畳して検出信号を送信する。タグ通信装置１６が送信した搬送波によってＲＦＩＤタグＲ６のアンテナに起電力が誘起されると、この電力によりＲＦＩＤタグＲ６のＩＣがオンに切り替わり、検出信号を受信して、この検出信号に対して応答する信号を送信する。タグ通信装置１６は、ＲＦＩＤタグＲ６が送信した応答信号を受信すると、搬送波の出力を継続しながら、このＲＦＩＤタグＲ６をデータの書き込み及びデータの読み取りの対象として設定する。タグ通信装置１６は、データの書き込み及びデータの読み取りを開始する旨を通知する信号を送信する。その後は、タグ通信装置１６が搬送波の出力を継続しながら、タグ通信装置１６とＲＦＩＤタグＲ６との間で無線信号が送受信され、ＲＦＩＤタグＲ６が記憶するデータの読み取り、及び、ＲＦＩＤタグＲ６に対するデータの書き込みが行われる。
【００３２】
図１に示すように、ロール体Ｒ１の側面に対応する位置には、ニアエンドセンサー２９が設けられる。ニアエンドセンサー２９は、ロール紙Ｒの残量が所定量を下回ったニアエンド状態であることを検出する機械式センサーである。詳述すると、ニアエンドセンサー２９は、ロール体Ｒ１の側面に向かって付勢された突出部２９ａを備える。ロール紙Ｒの残量が十分にある場合は、突出部２９ａがロール体Ｒ１の側面によって押下された状態となり、この突出部２９ａが機械式スイッチを電気的オン状態に作動させ、ニアエンドセンサー２９から、ニアエンド状態でないことを示す信号が出力される。一方で、ロール紙Ｒの残量が所定量を下回り、ロール体Ｒ１の半径が所定の距離よりも短くなると、突出部２９ａが押下された状態が解除され、ニアエンドセンサー２９からニアエンド状態であることを示す信号が出力される。
制御部３０は、ニアエンドセンサー２９からの入力に基づいて、ロール紙Ｒがニアエンド状態であること、又は、ニアエンド状態でないことを検出する。
【００３３】
図３は、本実施形態に係る記録システム２ａの機能的構成を示すブロック図である。
図３に示すように、記録システム２ａは、記録装置１と、記録装置１に接続されて記録装置１を制御するホストコンピューター３（制御装置）とを備える。
【００３４】
図３に示すように、記録装置１は、制御部３０と、モーター駆動回路３１と、キャリッジ移動モーター３２と、搬送モーター３３と、カッター駆動モーター３４と、ヘッド駆動回路３５と、入力部３６と、報知部３７と、通信部３８と、記憶部３９と、を備える。
【００３５】
制御部３０は、ＣＰＵや、ＲＯＭ、ＲＡＭ、その他の制御回路等を備え、記録装置１を制御する。
【００３６】
モーター駆動回路３１は、キャリッジ移動モーター３２と接続する。キャリッジ移動モーター３２は、キャリッジ２０を走査方向Ｙへ移動させるモーターである。制御部３０は、モーター駆動回路３１を制御して、キャリッジ移動モーター３２に駆動電流や駆動パルスを出力し、キャリッジ移動モーター３２を駆動する。キャリッジ移動モーター３２の駆動に応じて、キャリッジ２０に搭載された記録ヘッド１０が走査方向Ｙへ移動する。
【００３７】
モーター駆動回路３１は、搬送モーター３３と接続する。搬送モーター３３は、搬送ローラー１４１、１４２、１４３を回転させるモーターである。制御部３０は、モーター駆動回路３１を制御して、搬送モーター３３に駆動電流や駆動パルスを出力し、搬送モーター３３を駆動する。搬送モーター３３の駆動に応じて、搬送ローラー１４１、１４２、１４３が回転し、搬送ローラー１４１、１４２、１４３の回転に応じて、記録媒体が搬送方向Ｈに搬送される。
【００３８】
モーター駆動回路３１は、カッター駆動モーター３４と接続する。カッター駆動モーター３４は、可動刃２３を移動させるモーターである。制御部３０は、モーター駆動回路３１を制御して、カッター駆動モーター３４に駆動電流や駆動パルスを出力し、カッター駆動モーター３４を駆動する。カッター駆動モーター３４の駆動に応じて、可動刃２３が移動し、搬送ロール紙Ｒ２が切断される。
【００３９】
ヘッド駆動回路３５は、記録ヘッド１０と接続する。ヘッド駆動回路３５は、制御部３０の制御で、記録ヘッド１０のノズルに対応して設けられたアクチュエーターを駆動し、ノズルからインクを吐出させる。ノズルからのインクの吐出に応じて、搬送ロール紙Ｒ２にドットが形成される。
【００４０】
入力部３６は、記録装置１の筐体に設けられた操作スイッチと接続する。入力部３６は、操作スイッチに対する操作を検出し、検出した操作を示す信号を制御部３０に出力する。制御部３０は、入力部３６からの入力に応じて、操作に対応する処理を実行する。
操作スイッチは、カバー開閉スイッチ３６１を有する。入力部３６は、カバー開閉スイッチ３６１に対する操作を検出し、検出した操作を示す信号を制御部３０に出力する。制御部３０は、入力に基づいてカバー開閉スイッチ３６１が操作されたことを検出する。制御部３０は、カバー２６が閉状態のときに、カバー開閉スイッチ３６１が操作されたことを検出した場合、カバー開閉機構２８を制御して、カバー２６を開状態とする。また、制御部３０は、カバー２６が開状態のときに、カバー開閉スイッチ３６１が操作されたことを検出した場合、カバー開閉機構２８を制御して、カバー２６を閉状態とする。
【００４１】
報知部３７は、ＬＥＤ部３７１と、表示部３７２と、を備える。
ＬＥＤ部３７１は、複数のＬＥＤを備える。ＬＥＤ部３７１は、制御部３０の制御で、複数のＬＥＤを所定の態様で点灯／消灯し、動作モードや、エラーの発生の有無等の記録装置１の状態を報知する。
表示部３７２は、液晶表示パネルを備える。表示部３７２は、制御部３０の制御で、表示部３７２に情報を表示する。
【００４２】
通信部３８は、制御部３０の制御で、ホストコンピューター３と所定の通信規格に準拠して通信する。
【００４３】
記憶部３９は、不揮発性メモリーを備え、各種データを記憶する。記憶部３９には、後述する設定ファイル３９１が記憶される。
【００４４】
また、上述したように、記録装置１は、ブラックマークセンサー１８１を備える。ブラックマークセンサー１８１は、所定の周期で、検出値を制御部３０に出力する。制御部３０は、ブラックマークセンサー１８１からの入力に基づいて、ブラックマークセンサー１８１の検出位置にブラックマークＢＭが位置したことを検出する。
【００４５】
また、上述したように、記録装置１は、ギャップセンサー１８２を備える。ギャップセンサー１８２は、所定の周期で、検出値を制御部３０に出力する。制御部３０は、ギャップセンサー１８２からの入力に基づいて、ギャップセンサー１８２の検出位置にブラックマークＢＭが位置したことを検出する。
【００４６】
また、上述したように、記録装置１は、タグ通信装置１６を備える。制御部３０は、タグ通信装置１６を制御して、収容したロール紙Ｒに設けられたＲＦＩＤタグＲ６にデータを書き込み、また、ＲＦＩＤタグＲ６からデータを読み取る。
【００４７】
また、上述したように、記録装置１は、ニアエンドセンサー２９を備える。制御部３０は、ニアエンドセンサー２９からの入力に基づいて、ロール紙Ｒがニアエンド状態であること、又は、二アンド状態でないことを検出する。
【００４８】
図３に示すように、ホストコンピューター３は、制御装置制御部５０と、制御装置入力部５１と、制御装置表示部５２と、制御装置記憶部５３と、制御装置通信部５４と、を備える。
【００４９】
制御装置制御部５０は、ＣＰＵや、ＲＯＭ、ＲＡＭ、その他の制御回路等を備え、ホストコンピューター３を制御する。
【００５０】
制御装置入力部５１は、キーボードや、マウス等の入力デバイスに接続され、入力デバイスからの入力を検出して、制御装置制御部５０に出力する。制御装置制御部５０は、制御装置入力部５１からの入力に基づいて、入力に対応する処理を実行する。
【００５１】
制御装置表示部５２は、液晶表示パネル等の表示装置に接続され、制御装置制御部５０の制御で、表示装置に各種情報を表示する。
【００５２】
制御装置記憶部５３は、不揮発性メモリーを備え、各種データを記憶する。
【００５３】
制御装置通信部５４は、制御装置制御部５０の制御で、所定の通信規格に従って、記録装置１と通信する。
【００５４】
次に、記録を実行するときの記録装置１、及び、ホストコンピューター３の基本的な動作について説明する。
記録装置１に記録を実行させる際、ホストコンピューター３は、記録装置１に記録させる画像の画像データを生成する。次いで、ホストコンピューター３は、画像データを含み、画像データに基づく記録の実行を指示する制御データを生成する。ホストコンピューター３には、プリンタードライバーがインストールされる。制御データは、プリンタードライバーの機能により、記録装置１のコマンド体系に従ったコマンドを用いて生成される。ホストコンピューター３は、制御装置通信部５４を制御して、生成した制御データを記録装置１に送信する。
【００５５】
記録装置１の制御部３０は、通信部３８を制御して、制御データを受信する。次いで、制御部３０は、受信した制御データに含まれる画像データを画像バッファーに展開する。次いで、制御部３０は、画像バッファーに展開した画像データに基づいて、モーター駆動回路３１、及び、ヘッド駆動回路３５を制御して、記録ヘッド１０、キャリッジ２０、搬送ローラー１２、カッターユニット２１を駆動し、ロール紙Ｒに記録する。
【００５６】
より詳細には、制御部３０は、モーター駆動回路３１を制御して、搬送モーター３３を駆動し、搬送ローラー１４１、１４２、１４３を回転させて、搬送ロール紙Ｒ２を搬送方向Ｈに搬送する。搬送ロール紙Ｒ２の搬送中、制御部３０は、ブラックマークセンサー１８１からの入力に基づいて、搬送ロール紙Ｒ２の位置を管理する。画像を記録する場合、制御部３０は、モーター駆動回路３１を制御して、シール部Ｒ４の画像を記録する領域が、記録ヘッド１０の記録位置に位置するように、搬送ロール紙Ｒ２の搬送を停止する。次いで、制御部３０は、モーター駆動回路３１を制御して、キャリッジ移動モーター３２を駆動し、キャリッジ２０を走査方向Ｙにおける一方向に移動させる。キャリッジ２０の移動中、制御部３０は、画像バッファーに展開した画像データに基づいて、ヘッド駆動回路３５を制御して、記録ヘッド１０を駆動し、適切なタイミングで適切なノズルからインクを吐出してドットを形成する。これにより、シール部Ｒ４に、所定の色のドットが形成され、画像が記録される。
制御部３０は、記録ヘッド１０の記録位置にシール部Ｒ４の画像を記録する領域を位置させる搬送、キャリッジ２０の走査方向Ｙへの移動、及び、キャリッジ２０の移動に伴う記録ヘッド１０の駆動を繰り返し行って、シール部Ｒ４に連続して画像を記録する。
制御部３０は、適宜、制御データに含まれる、ロール紙Ｒの切断を指示するカットコマンドに基づいて、カッター駆動モーター３４を制御して、可動刃２３を移動させ、ロール紙Ｒの切断を実行する。ロール紙Ｒは、シール部Ｒ４と、シール部Ｒ４との間隙で、切断される。
【００５７】
ところで、記録装置１にロール紙Ｒが収容された場合、記録装置１、及び、ホストコンピューター３に、収容されたロール紙Ｒに関する設定（以下、「記録媒体に関する設定」という。）を行う必要がある。記録媒体に関する設定とは、ロール紙Ｒに関する複数の設定項目（以下、「媒体設定項目」という。）に設定値をセットすることである。
記録装置１の記憶部３９には、設定ファイル３９１が記憶される。設定ファイル３９１には、媒体設定項目と、設定値との組み合わせが記録される。記録装置１に対する記録媒体に関する設定とは、具体的には、設定ファイル３９１に記録された媒体設定項目に対して、収容したロール紙Ｒに対応する設定値をセットすることである。
また、ホストコンピューター３の制御装置記憶部５３は、制御用設定ファイル５３１が記憶される。制御用設定ファイル５３１には、媒体設定項目と、設定値との組み合わせが記録される。ホストコンピューター３に対する記録媒体に関する設定とは、具体的には、制御用設定ファイル５３１に記録された媒体設定項目に対して、記録装置１に収容したロール紙Ｒに対応する設定値をセットすることである。
【００５８】
本実施形態では、媒体設定項目として、ロール紙Ｒの種類（以下、「用紙種類」という。）を示す媒体設定項目「用紙種類」がある。媒体設定項目「用紙種類」には、設定値として、設定値「普通紙」、設定値「合成紙」、設定値「マット紙」、設定値「光沢紙」、又は、設定値「リストバンド」のいずれかがセットされる。
【００５９】
また、媒体設定項目として、ロール紙Ｒの形態（以下、「用紙形態」という。）を示す媒体設定項目「用紙形態」がある。媒体設定項目「用紙形態」には、設定値として、設定値「カットラベル（ギャップ基準）」、設定値「カットラベル（ブラックマーク基準）」、設定値「全面ラベル」、又は、設定値「連続紙」のいずれかがセットされる。
なお、設定値「カットラベル（ギャップ基準）」は、図２（Ｂ）で例示したロール紙Ｒのように、ギャップ部ＧＰが形成されたロール紙Ｒが記録装置１に収容される場合に、媒体設定項目「用紙形態」にセットされる設定値である。当該設定値がセットされる場合、制御部３０は、ギャップセンサー１８２からの入力に基づいて、ロール紙Ｒの位置を管理する。
【００６０】
また、設定値「カットラベル（ブラックマーク基準）」は、図２（Ａ）で例示したロール紙Ｒのように、ブラックマークＢＭが設けられたロール紙Ｒが記録装置１に収容される場合に、媒体設定項目「用紙形態」にセットされる設定である。当該設定値がセットされる場合、制御部３０は、ブラックマークセンサー１８１からの入力に基づいて、ロール紙Ｒの位置を管理する。
【００６１】
また、媒体設定項目として、ロール紙Ｒの短手方向の長さ（以下、「用紙幅」という。）を示す媒体設定項目「用紙幅」がある。媒体設定項目「用紙幅」には、設定値として、３０ｍｍ〜１２０ｍｍの範囲で、用紙幅の値がセットされる。
【００６２】
また、媒体設定項目として、ロール紙Ｒがカットラベルの場合に設定値がセットされる項目であって、ロール紙Ｒを構成するラベルの長手方向の長さ（以下、「用紙長さ」という。）を示す媒体設定項目「用紙長さ」がある。図２（Ａ）の例では、長さＬ１が、用紙長さに相当する。また、図２（Ｂ）の例では、長さＬ２が、用紙長さに該当する。媒体設定項目「用紙長さ」には、設定値として、１５ｍｍ〜１１１７ｍｍの範囲で、用紙長さの値がセットされる。
【００６３】
また、媒体設定項目として、ロール紙Ｒがカットラベルの場合に設定値がセットされる項目であって、ラベルにおいて画像の記録が可能な領域（ドットの形成が可能な領域）の端手方向の長さ（以下、「記録幅」という。）を示す媒体設定項目「記録幅」がある。図２（Ａ）の例では、長さＬ３が、記録幅に相当する。また、図２（Ｂ）の例では、長さＬ４が、記録幅に相当する。媒体設定項目「記録幅」には、設定値として、２５ｍｍ〜１０８ｍｍの範囲で、記録幅の値がセットされる。
【００６４】
また、媒体設定項目として、ロール紙Ｒがカットラベルの場合に設定値がセットされる項目であって、ラベルにおいて画像の記録が可能な領域（ドットの形成が可能な領域）の長手方向の長さ（以下、「記録長さ」という。）を示す媒体設定項目「記録長さ」がある。図２（Ａ）の例では、長さＬ５が、記録長さに相当する。また、図２（Ｂ）の例では、長さＬ６が、記録長さに相当する。媒体設定項目「記録長さ」には、設定値として、１５ｍｍ〜１１１７ｍｍの範囲で、記録長さの値がセットされる。
【００６５】
また、媒体設定項目として、ロール紙Ｒが図２（Ａ）で例示したロール紙Ｒのように間隔をあけてシール部Ｒ４が設けられた用紙の場合に設定値がセットされる項目であって、シール部Ｒ４とシール部Ｒ４との間隙の長さ（以下、「ラベル間ギャップ」という。）を示す媒体設定項目「ラベル間ギャップ」がある。媒体設定項目「ラベル間ギャップ」には、設定値として、３ｍｍ〜６ｍｍの範囲で、ラベル間ギャップの値がセットされる。
【００６６】
また、媒体設定項目として、ロール紙Ｒが図２（Ａ）で例示したロール紙Ｒのように間隔をあけてブラックマークＢＭが形成された用紙の場合に設定値がセットされる項目であって、隣接するブラックマークＢＭの離間距離（以下、「ブラックマーク間隔」という。）を示す媒体設定項目「ブラックマーク間隔」がある。媒体設定項目「ブラックマーク間隔」には、設定値として、１５ｍｍ〜１１１７ｍｍの範囲で、ブラックマーク間隔の値がセットされる。
【００６７】
以上、媒体設定項目を例示したが、媒体設定項目は例示したものに限らず、記録装置１が収容する記録媒体に関する設定項目であればどのようなものであってもよい。
【００６８】
記録装置１の制御部３０は、設定ファイル３９１に記録された媒体設定項目と、設定値との組み合わせに基づいて、記録装置１に収納されたロール紙Ｒの用紙種類や、用紙形態、ラベルのサイズ、ラベルにおける記録領域の位置等を認識し、ロール紙Ｒに対応する処理を実行する。例えば、制御部３０は、用紙種類や、用紙形態に応じた搬送方法でロール紙Ｒを搬送し、また、用紙幅や用紙幅、記録幅、記録長さに基づいて、ラベルにおける画像を記録する領域を判定し、また、ブラックマーク間隔に基づいてブラックマークセンサー１８１からの入力に基づくロール紙Ｒの位置の管理を実行する。
【００６９】
また、ホストコンピューター３の制御装置制御部５０は、制御用設定ファイル５３１に記録された媒体設定項目と、設定値との組み合わせに基づいて、記録装置１に収容されたロール紙Ｒの用紙種類や、用紙形態、ラベルのサイズ、ラベルにおける記録領域の位置等を認識し、当該認識に基づいて記録装置１を制御する。例えば、制御装置制御部５０は、制御データの生成に際し、用紙種類や、用紙形態、ラベルのサイズ、ラベルにおける記録領域の位置等を反映した制御データを生成する。
【００７０】
以上のように、ロール紙Ｒを記録装置１に収容した場合、記録装置１、及び、ホストコンピューター３に、収容したロール紙Ｒに対応した記録媒体に関する設定を行う必要がある。そして、記録媒体に関する設定に誤りがある場合、換言すれば、いずれかの媒体設定項目に対して誤った設定値がセットされた場合、想定した位置と異なる位置に画像が記録される等のエラーが発生する可能性がある。従って、記録媒体に関する設定は、収容したロール紙Ｒに即して、正確に行われなければならない。
以上を踏まえ、記録装置１へのロール紙Ｒの収容に際し、記録装置１、及び、ホストコンピューター３は、以下の処理を実行する。
【００７１】
図４は、記録装置１に新たにロール紙Ｒを収容する場合の、記録装置１、及び、ホストコンピューター３の動作を示すフローチャートであり、（Ａ）は記録装置１の動作を、（Ｂ）はホストコンピューター３の動作を示す。
【００７２】
図４（Ａ）のフローチャートの前に、ユーザーにより、以下の処理が行われる。
すなわち、ユーザーは、記録装置１にロール紙Ｒを収容する。ユーザーは、記録装置１にロール紙Ｒを収容する際、カバー開閉スイッチ３６１を操作して、カバー２６を開状態とした後、所定の方法で、ロール紙収容部１１にロール体Ｒ１を収容し、ロール体Ｒ１から繰り出される搬送ロール紙Ｒ２を、搬送経路１３に沿って延在させる。
【００７３】
図４（Ａ）に示すように、記録装置１の制御部３０は、ＲＦＩＤ読取処理（後述）の実行が指示されたか否かを監視する（ステップＳＡ１）。ＲＦＩＤ読取処理の実行の指示は、記録装置１の筐体に設けられた操作スイッチが所定の態様で操作されることにより行われる。ユーザーは、記録装置１にロール紙Ｒを収容した後、記録装置１による記録が実行される前に、操作スイッチを所定の態様で操作して、ＲＦＩＤ読取処理の実行を指示する。
【００７４】
ＲＦＩＤ読取処理の実行が指示された場合（ステップＳＡ１：ＹＥＳ）、制御部３０は、ＲＦＩＤ読取処理を実行する（ステップＳＡ２）。
詳述すると、ステップＳＡ２で、制御部３０は、タグ通信装置１６を制御して、ＲＦＩＤタグＲ６と無線通信させ、ＲＦＩＤタグＲ６の所定の記憶領域に記憶されたタグ情報（後述）を読み取らせる。タグ通信装置１６は、ＲＦＩＤタグＲ６から読み取ったタグ情報を制御部３０に出力する。
【００７５】
ＲＦＩＤ読取処理の実行後、制御部３０は、タグ通信装置１６から入力されたタグ情報に基づいて、媒体設定情報を取得する（ステップＳＡ３）。
以下、タグ情報について説明し、次いで、媒体設定情報について説明する。
【００７６】
図５（Ａ）は、タグ情報の一例を示す図であり、図５（Ｂ）は、タグ情報の説明に利用する図である。
図５（Ａ）に示すように、タグ情報は、媒体設定情報を示す２２桁の数値である。
【００７７】
図５（Ｂ）に示すように、タグ情報の１桁目の数値は、ロール紙Ｒの用紙種類を示す。具体的には、「０」はロール紙Ｒの用紙種類が普通紙であることを示し、「１」はロール紙Ｒの用紙種類が合成紙であることを示し、「２」はロール紙Ｒの用紙種類がマット紙であることを示し、「３」はロール紙Ｒの用紙種類が光沢紙であることを示し、「４」はロール紙Ｒの用紙種類がリストバンドであることを示す。図５（Ａ）で例示するように、タグ情報の１桁目の数値が「０」である場合、ロール紙Ｒの用紙種類は普通紙であるので、上述した媒体設定項目「用紙種類」には、設定値として、設定値「普通紙」がセットされる必要がある。
【００７８】
図５（Ｂ）に示すように、タグ情報の２桁目の数値は、ロール紙Ｒの用紙形態を示す。具体的には、「０」はロール紙Ｒの用紙形態がカットラベル（ギャップ基準）であることを示し、「１」はロール紙Ｒの用紙形態がカットラベル（ブラックマーク基準）であることを示し、「２」はロール紙Ｒの用紙形態が全面ラベルであることを示し、「３」はロール紙Ｒの用紙形態が連続紙であることを示す。図５（Ａ）で例示するように、タグ情報の２桁目の数値が「１」である場合、ロール紙Ｒの用紙形態はカットラベル（ブラックマーク基準）であるので、上述した媒体設定項目「用紙形態」には、設定値として、設定値「カットラベル（ブラックマーク基準）」がセットされる必要がある。
【００７９】
図５（Ｂ）に示すように、タグ情報の３−５桁目の数値は、ロール紙Ｒの用紙幅を示す。より詳細には、タグ情報の３桁目の数値は用紙幅の値の百の位の数値を示し、４桁目の数値は用紙幅の値の十の位の数値を示し、５桁目の数値は用紙幅の値の一の位の数値を示す。図５（Ａ）で例示するように、タグ情報の３−５桁目の数値が「０８０」である場合、ロール紙Ｒの用紙幅は、「８０ｍｍ」であるので、上述した媒体設定項目「用紙幅」には、設定値「８０ｍｍ」がセットされる必要がある。
【００８０】
図５（Ｂ）に示すように、タグ情報の６−９桁目の数値は、ロール紙Ｒの用紙長さを示す。より詳細には、タグ情報の６桁目の数値は用紙長さの値の千の位の数値を示し、７桁目の数値は用紙長さの値の百の位の数値を示し、８桁目の数値は用紙長さの値の十の位の数値を示し、９桁目の数値は用紙長さの値の一の位の数値を示す。図５（Ａ）で例示するように、タグ情報の６−９桁目の数値が「０９００」である場合、ロール紙Ｒの用紙長さは、「９００ｍｍ」であるので、上述した媒体設定項目「用紙長さ」には、設定値「９００ｍｍ」がセットされる必要がある。
なお、ロール紙Ｒがカットラベルではない場合、タグ情報の６−９桁目には、ヌルデータを表す「００００」がセットされる。
【００８１】
図５（Ｂ）に示すように、タグ情報の１０−１２桁目の数値は、ロール紙Ｒの記録幅を示す。より詳細には、タグ情報の１０桁目の数値は記録幅の値の百の位の数値を示し、１１桁目の数値は記録幅の値の十の位の数値を示し、１２桁目の数値は記録幅の値の一の位の数値を示す。図５（Ａ）で例示するように、タグ情報の１０−１２桁目の数値が「０７０」である場合、ロール紙Ｒの記録幅は、「７０ｍｍ」であるので、上述した媒体設定項目「記録幅」には、設定値「７０ｍｍ」がセットされる必要がある。
なお、ロール紙Ｒがカットラベルではない場合、タグ情報の１０−１２桁目には、ヌルデータを表す「０００」がセットされる。
【００８２】
図５（Ｂ）に示すように、タグ情報の１３−１６桁目の数値は、ロール紙Ｒの記録長さを示す。より詳細には、タグ情報の１３桁目の数値は記録長さの値の千の位の数値を示し、１４桁目の数値は記録長さの値の百の位の数値を示し、１５桁目の数値は記録長さの値の十の位の数値を示し、１６桁目の数値は記録長さの値の一の位の数値を示す。図５（Ａ）で例示するように、タグ情報の１３−１６桁目の数値が「０８５０」である場合、ロール紙Ｒの用紙長さは、「８００ｍｍ」であるので、上述した媒体設定項目「記録長さ」には、設定値「８００ｍｍ」がセットされる必要がある。
なお、ロール紙Ｒがカットラベルではない場合、タグ情報の１３−１６桁目には、ヌルデータを表す「００００」がセットされる。
【００８３】
図５（Ｂ）に示すように、タグ情報の１７桁目の数値は、ロール紙Ｒのラベル間ギャップを示す。図５（Ａ）で例示するように、タグ情報の１７桁目の数値が「５」である場合、ロール紙Ｒのラベル間ギャップは、「５ｍｍ」であるので、上述した媒体設定項目「ラベル間ギャップ」には、設定値「５ｍｍ」がセットされる必要がある。
なお、ロール紙Ｒが、図２（Ａ）で例示したロール紙Ｒのように間隔をあけてシール部Ｒ４が設けられた用紙ではない場合、タグ情報の１７桁目には、ヌルデータを表す「０」がセットされる。
【００８４】
図５（Ｂ）に示すように、タグ情報の１８−２１桁目の数値は、ロール紙Ｒのブラックマーク間隔を示す。より詳細には、タグ情報の１８桁目の数値はブラックマーク間隔の値の千の位の数値を示し、１９桁目の数値はブラックマーク間隔の値の百の位の数値を示し、２０桁目の数値はブラックマーク間隔の値の十の位の数値を示し、２１桁目の数値はブラックマーク間隔の一の位の数値を示す。図５（Ａ）で例示するように、タグ情報の１８−２１桁目の数値が「０９００」である場合、ロール紙Ｒのブラックマーク間隔は、「９００ｍｍ」であるので、上述した媒体設定項目「ブラックマーク間隔」には、設定値「９００ｍｍ」がセットされる必要がある。
なお、ロール紙Ｒが、図２（Ａ）で例示したロール紙Ｒのように間隔をあけてブラックマークＢＭが形成された用紙ではない場合、タグ情報の１８−２１桁目には、ヌルデータを表す「００００」がセットされる。
【００８５】
タグ情報の２２桁目の数値については、後述する。
【００８６】
ステップＳＡ３において、制御部３０は、タグ通信装置１６から入力されたタグ情報の１-２１桁目の数値に基づいて、媒体設定情報を取得する。媒体設定情報とは、媒体設定項目と、ロール紙Ｒに対応した設定値との組み合わせである。例えば、タグ情報が図５（Ａ）に例示する情報である場合、制御部３０は、タグ情報の１桁目の数値に基づいて、媒体設定情報として、媒体設定項目「用紙種類」と、ロール紙Ｒに対応した設定値である設定値「普通紙」との組み合わせを取得する。また例えば、タグ情報が図５（Ａ）に例示する情報である場合、制御部３０は、タグ情報の２桁目の数値に基づいて、媒体設定情報として、媒体設定項目「用紙形態」と、ロール紙Ｒに対応した設定値である設定値「カットラベル（ブラックマーク基準）」との組み合わせを取得する。
【００８７】
次いで、制御部３０は、ステップＳＡ３で取得した媒体設定情報に基づいて、設定ファイル３９１の媒体設定項目に設定値をセットする（ステップＳＡ４）。
ステップＳＡ４において、制御部３０は、媒体設定情報における媒体設定項目と設定値との組み合わせと、設定ファイル３９１における媒体設定項目と設定値との組み合わせとが一致するように、設定ファイル３９１の内容を書き換える。
【００８８】
次いで、制御部３０は、報知部３７を制御して、媒体設定項目への設定値のセットが完了したことを報知する（ステップＳＡ５）。報知は、ＬＥＤ部３７１のＬＥＤの駆動により行われてもよく、表示部３７２の表示により行われてもよい。このほか、記録装置１が音声を出力する機能を有す場合は、音声出力により行われてもよい。
【００８９】
次いで、制御部３０は、通信部３８を制御して、ステップＳＡ３で取得した媒体設定情報をホストコンピューター３に送信する（ステップＳＡ６）。
【００９０】
図４（Ｂ）に示すように、ホストコンピューター３の制御装置制御部５０は、制御装置通信部５４を制御して、媒体設定情報を受信する（ステップＳＢ１）。
【００９１】
次いで、制御装置制御部５０は、受信した媒体設定情報に基づいて、制御用設定ファイル５３１の媒体設定項目に設定値をセットする（ステップＳＢ２）。
ステップＳＢ２において、制御装置制御部５０は、媒体設定情報における媒体設定項目と設定値との組み合わせと、制御用設定ファイル５３１における媒体設定項目と設定値との組み合わせとが一致するように、制御用設定ファイル５３１の内容を書き換える。
【００９２】
以上のように、本実施形態では、ロール紙Ｒに、タグ情報を記憶するＲＦＩＤタグＲ６が設けられる。また、記録装置１は、ＲＦＩＤタグＲ６から、無線通信により、情報を読み取ることが可能なタグ通信装置１６を備える。そして、記録装置１は、ロール紙Ｒが収容されたときに、指示に応じて、タグ情報をタグ通信装置１６により読み取る。記録装置１は、読取結果に基づいて、タグ情報を取得し、取得したタグ情報に基づく媒体設定情報に基づいて、記録媒体に関する設定を実行する。また、記録装置１は、媒体設定情報をホストコンピューター３に送信する。ホストコンピューター３は、受信した媒体設定情報に基づいて、記録媒体に関する設定を実行する。
このような構成のため、ユーザーが、記録媒体に関する設定を手動で行う場合に起こり得る設定の誤りが発生せず、設定される媒体設定項目と設定値との組み合わせを、記録装置１が収納するロール紙Ｒに対応した正確なものとすることができる。
また、上記構成のため、ユーザーは、記録媒体に関する設定を、手動で行う必要がなく、ユーザーの作業負担が軽減する。
【００９３】
次に、ロール紙Ｒが収容された後の記録装置１の動作について説明する。
ここで、タグ情報の２２桁目の数値は、ロール紙Ｒの残量を表す数値である。具体的には、「０」はロール紙Ｒがニアエンド状態でない状態（以下、「通常状態」という。）であることを示し、「１」はロール紙Ｒがニアエンド状態であることを示す。
ロール紙Ｒに設けられたＲＦＩＤタグＲ６が記憶するタグ情報の２２桁目の数値の初期値は、「０」である。
【００９４】
記録装置１の制御部３０は、記録装置１の電源がオンの間、ニアエンドセンサー２９からの入力に基づいて、ロール紙Ｒの状態が、通常状態からニアエンド状態へと移行したか否か監視する。ニアエンド状態へ移行した場合、制御部３０は、タグ通信装置１６を制御して、ＲＦＩＤタグＲ６と通信させ、ＲＦＩＤタグＲ６が記憶するタグ情報の２２桁目を「０」から「１」へと書き換えさせる。
【００９５】
以上の処理が行われることにより、以下の効果を奏する。
すなわち、記録装置１から、ロール紙Ｒを取り出して、他のロール紙Ｒを収容した場合、取り出したロール紙Ｒがニアエンド状態であるか否かは、ロール紙Ｒの見た目では正確にわからない。この場合に、ロール紙ＲのＲＦＩＤタグＲ６に記憶されたタグ情報を、所定の読取手段により読み取らせて、読取結果を所定の表示手段に表示させることにより、ユーザーは、ロール紙Ｒがニアエンド状態であるか否かを確実かつ簡易に把握できる。
【００９６】
なお、ロール紙Ｒに設けられたＲＦＩＤタグＲ６のタグ情報の２２桁目の数値を書き換えるタイミングは、ロール紙Ｒの状態が変化したときに限らず、例えば、カバー開閉スイッチ３６１が操作されて、カバー２６の開状態への移行が指示されたときであってもよい。
【００９７】
以上説明したように、本実施形態に係る記録システム２ａは、記録装置１と、ホストコンピューター３（制御装置）とを備える。
記録装置１は、収容したロール紙Ｒに設けられたＲＦＩＤタグＲ６（ＩＣタグ）から、情報を無線通信で読み取るタグ通信装置１６（無線通信部）と、ロール紙Ｒに記録する記録ヘッド１０（記録部）と、タグ通信装置１６の読取結果に基づいて媒体設定情報（記録媒体に関する情報）を取得し、取得した情報に基づいて記録媒体に関する設定を行い、媒体設定情報を送信する制御部３０と、を有する。
ホストコンピューター３は、媒体設定情報を受信し、受信した情報に基づいて記録媒体に関する設定を行う制御装置制御部５０を有する。
この構成によれば、タグ通信装置１６の読取結果に基づいて、記録媒体に関する設定を、収納したロール紙Ｒに対応した正確なものとすることができる。さらに、ユーザーが、記録装置１、及び、ホストコンピューター３に対して、記録媒体に関する設定を、手動で行う必要がなく、ユーザーの作業負担が軽減する。
【００９８】
また、本実施形態では、記録装置１の制御部３０は、記録媒体に関する設定が完了した場合、報知部３７に、その旨、報知させる。
この構成によれば、ユーザーは、記録媒体に関する設定が完了したときに、そのことを認識できる。
【００９９】
また、本実施形態では、記録装置１の制御部３０は、タグ通信装置１６を制御して、収容したロール紙Ｒに設けられたＲＦＩＤタグＲ６に、ロール紙Ｒの残量に関する情報を書き込む。
この構成によれば、ロール紙Ｒに設けられたＲＦＩＤタグＲ６からタグ情報を読み取ることにより、ロール紙Ｒの残量に関する情報を取得できる。
【０１００】
＜第２実施形態＞
次に、第２実施形態について説明する。
上述した第１実施形態では、ＲＦＩＤタグＲ６が記憶する情報は、媒体設定情報を示す２２桁の数値からなるタグ情報であった。
一方、第２実施形態では、ＲＦＩＤタグＲ６が記憶する情報は、媒体設定情報ではなく、ロール紙Ｒを識別する識別情報である媒体ＩＤである。
媒体ＩＤは、ロール紙Ｒの種別に応じて一意に割り振られる識別情報である。ロール紙Ｒの種別とは、上述した用紙種類、用紙形態、用紙幅、用紙長さ、記録幅、記録長さ、ラベル間ギャップ、及び、ブラックマーク間隔（以下、これらを総称して「媒体情報」という。）の組み合わせに応じたロール紙Ｒの区別である。例えば、媒体情報が完全に一致する複数のロール紙Ｒには、同一の媒体ＩＤが割り振られる。また、いずれかの媒体情報に相違がある複数のロール紙Ｒには、それぞれ異なる媒体ＩＤが割り振られる。
【０１０１】
図６は、記録装置１に新たにロール紙Ｒを収容する場合の、第２実施形態に係る記録装置１、及び、ホストコンピューター３の動作を示すフローチャートであり、（Ａ）は記録装置１の動作を、（Ｂ）はホストコンピューター３の動作を示す。
【０１０２】
図６（Ａ）のフローチャートの前に、ユーザーにより、記録装置１へのロール紙Ｒの収容が行われる。
【０１０３】
図６（Ａ）に示すように、記録装置１の制御部３０は、ＲＦＩＤ読取処理の実行が指示されたか否かを監視する（ステップＳＣ１）。
【０１０４】
ＲＦＩＤ読取処理の実行が指示された場合（ステップＳＣ１：ＹＥＳ）、制御部３０は、ＲＦＩＤ読取処理を実行する（ステップＳＣ２）。
【０１０５】
次いで、制御部３０は、タグ通信装置１６から入力された読取結果を示す情報に基づいて、媒体ＩＤを取得する（ステップＳＣ３）。
【０１０６】
次いで、制御部３０は、記憶部３９が記憶する媒体ＩＤテーブルを参照する（ステップＳＣ４）。
【０１０７】
図７は、媒体ＩＤテーブルの一例を示す図である。
図７に示すように、媒体ＩＤテーブルは、媒体ＩＤに応じて複数のレコードを有し、各レコードは、媒体ＩＤと、媒体設定情報と、を対応付けて記憶する。
上述したように、媒体設定情報とは、媒体設定項目と、ロール紙Ｒに対応した設定値との組み合わせである。
制御部３０は、ロール紙Ｒの媒体ＩＤをキーとして、媒体ＩＤテーブルを参照することにより、そのロール紙Ｒの媒体設定情報を取得できる。
【０１０８】
次いで、制御部３０は、ステップＳＣ３で取得した媒体ＩＤをキーとして媒体ＩＤテーブルを参照し、対応するレコードを特定し、媒体設定情報を取得する（ステップＳＣ５）。
【０１０９】
次いで、制御部３０は、ステップＳＣ５で取得した媒体設定情報に基づいて、設定ファイル３９１の媒体設定項目に設定値をセットする（ステップＳＣ６）。
ステップＳＡ４において、制御部３０は、媒体設定情報における媒体設定項目と設定値との組み合わせと、設定ファイル３９１における媒体設定項目と設定値との組み合わせとが一致するように、設定ファイル３９１の内容を書き換える。
【０１１０】
次いで、制御部３０は、報知部３７を制御して、設定が完了したことを報知する（ステップＳＣ７）。
【０１１１】
次いで、制御部３０は、通信部３８を制御して、ステップＳＣ３で取得した媒体ＩＤをホストコンピューター３に送信する（ステップＳＣ８）。
【０１１２】
図６（Ｂ）に示すように、ホストコンピューター３の制御装置制御部５０は、制御装置通信部５４を制御して、媒体ＩＤを受信する（ステップＳＤ１）。
【０１１３】
次いで、制御装置制御部５０は、制御装置記憶部５３が記憶する制御用媒体ＩＤテーブルを参照する（ステップＳＤ２）。制御用媒体ＩＤテーブルは、上述した媒体ＩＤテーブルと同一性を有するデータであり、媒体ＩＤと、媒体設定情報とを対応付けて記憶する。
【０１１４】
次いで、制御装置制御部５０は、ステップＳＤ１で受信した媒体ＩＤをキーとして制御用媒体ＩＤテーブルを参照し、対応するレコードを特定し、媒体設定情報を取得する（ステップＳＤ３）。
【０１１５】
次いで、制御装置制御部５０は、ステップＳＤ３で取得した媒体設定情報に基づいて、制御用設定ファイル５３１の媒体設定項目に設定値をセットする（ステップＳＤ４）。
【０１１６】
以上説明したように、本実施形態では、ＲＦＩＤタグＲ６が記憶する情報に、媒体ＩＤが含まれる。
記録装置１は、媒体ＩＤと媒体設定情報とを対応付けて記憶する。そして、記録装置１の制御部３０は、タグ通信装置１６の読取結果に基づいて取得した媒体ＩＤ及び記憶した情報に基づいて、記録媒体に関する設定を行う。また、制御部３０は、媒体ＩＤを、ホストコンピューター３に送信する。ホストコンピューター３は、媒体ＩＤと媒体設定情報とを対応付けて記憶する。ホストコンピューター３の制御装置制御部５０は、受信した媒体ＩＤ及び記憶した情報に基づいて、記録媒体に関する設定を行う。
この構成によれば、タグ通信装置１６の読取結果に基づいて、記録装置１、及び、ホストコンピューター３により自動で記録媒体に関する設定が行われる。これにより、上述した第１実施形態で説明した効果と同様の効果を奏する。
【０１１７】
＜第３実施形態＞
次いで、第３実施形態について説明する。
図８は、第３実施形態に係る記録システム２ｂの構成を示す図である。
以下の第３実施形態の説明では、第１実施形態と同様の構成要素については、同一の符号を付し、その詳細な説明を省略する。
【０１１８】
図８に示すように、記録システム２ｂは、記録装置１と、ホストコンピューター３と、管理装置４と、を備える。
ホストコンピューター３は、制御装置ネットワーク通信部５５を備える。
制御装置ネットワーク通信部５５は、制御装置制御部５０の制御で、インターネットを含んで構成されたネットワークＮを介して、所定の通信規格に従って、管理装置４と通信する。
【０１１９】
管理装置４は、ネットワークＮと接続するサーバー装置である。
図８に示すように、管理装置４は、管理装置制御部６０と、管理装置記憶部６１と、管理装置ネットワーク通信部６２とを備える。
管理装置制御部６０は、ＣＰＵや、ＲＯＭ、ＲＡＭ、その他の周辺回路等を備え、管理装置４を制御する。
管理装置記憶部６１は、不揮発性メモリーを備え、各種データを記憶する。管理装置記憶部６１は、管理用媒体ＩＤテーブル６１１を記憶する。管理用媒体ＩＤテーブル６１１は、上述した媒体ＩＤテーブルと同一性を有するデータであり、媒体ＩＤと、媒体設定情報とを対応付けて記憶する。
管理装置ネットワーク通信部６２は、管理装置制御部６０の制御で、所定の通信規格に従って、ネットワークＮと接続する機器（ホストコンピューター３を含む）と通信する。
【０１２０】
図９は、記録装置１に新たにロール紙Ｒを収容する場合の、第３実施形態に係る記録装置１、ホストコンピューター３、及び、管理装置４の動作を示すフローチャートである。図９（Ａ）は記録装置１の動作を、（Ｂ）はホストコンピューター３の動作を、（Ｃ）は管理装置４の動作を示す。
【０１２１】
なお、本実施形態では、ＲＦＩＤタグＲ６が記憶する情報は、第２実施形態と同様、媒体設定情報ではなく、媒体ＩＤである。
【０１２２】
図９（Ａ）のフローチャートの前に、ユーザーにより、記録装置１へのロール紙Ｒの収容が行われる。
【０１２３】
図９（Ａ）に示すように、記録装置１の制御部３０は、ＲＦＩＤ読取処理の実行が指示されたか否かを監視する（ステップＳＥ１）。
【０１２４】
ＲＦＩＤ読取処理の実行が指示された場合（ステップＳＥ１：ＹＥＳ）、制御部３０は、ＲＦＩＤ読取処理を実行する（ステップＳＥ２）。
【０１２５】
次いで、制御部３０は、タグ通信装置１６から入力された読取結果を示す情報に基づいて、媒体ＩＤを取得する（ステップＳＥ３）。
【０１２６】
次いで、制御部３０は、通信部３８を制御して、ステップＳＥ３で取得した媒体ＩＤをホストコンピューター３に送信する（ステップＳＥ４）。
【０１２７】
図９（Ｂ）に示すように、ホストコンピューター３の制御装置制御部５０は、制御装置通信部５４を制御して、媒体ＩＤを受信する（ステップＳＦ１）。
【０１２８】
次いで、制御装置制御部５０は、制御装置ネットワーク通信部５５を制御して、媒体ＩＤを管理装置４に送信する（ステップＳＦ２）。
なお、制御装置制御部５０は、管理装置４のアクセス先のアドレス等、管理装置４と通信するのに必要な情報を管理する。ステップＳＦ２で、制御装置制御部５０は、管理する情報に基づいて、管理装置４との間で所定の通信規格に準拠したコネクションを確立し、確立したコネクションにより、媒体ＩＤを送信する。
【０１２９】
図９（Ｃ）に示すように、管理装置４の管理装置制御部６０は、管理装置ネットワーク通信部６２を制御して、媒体ＩＤを受信する（ステップＳＧ１）。
【０１３０】
次いで、管理装置制御部６０は、管理装置記憶部６１が記憶する管理用媒体ＩＤテーブル６１１を参照する（ステップＳＧ２）。
【０１３１】
次いで、管理装置制御部６０は、ステップＳＧ１で受信した媒体ＩＤをキーとして管理用媒体ＩＤテーブル６１１を参照し、対応するレコードを特定し、媒体設定情報を取得する（ステップＳＧ３）。
【０１３２】
次いで、管理装置制御部６０は、管理装置ネットワーク通信部６２を制御して、ステップＳＧ３で取得した媒体設定情報を、ホストコンピューター３に送信する（ステップＳＧ４）。ステップＳＧ４で、管理装置制御部６０は、ホストコンピューター３との間で確立したコネクションにより、媒体設定情報を送信する。
【０１３３】
図９（Ｂ）に示すように、ホストコンピューター３の制御装置制御部５０は、制御装置ネットワーク通信部５５を制御して、媒体設定情報を受信する（ステップＳＦ３）。
【０１３４】
次いで、制御装置制御部５０は、ステップＳＦ３で受信した媒体設定情報に基づいて、制御用設定ファイル５３１の媒体設定項目に設定値をセットする（ステップＳＦ４）。
【０１３５】
次いで、制御装置制御部５０は、制御装置通信部５４を制御して、媒体設定情報を記録装置１に送信する（ステップＳＦ５）。
【０１３６】
図９（Ａ）に示すように、記録装置１の制御部３０は、通信部３８を制御して、媒体設定情報を受信する（ステップＳＥ５）。
【０１３７】
次いで、制御部３０は、ステップＳＥ５で受信した媒体設定情報に基づいて、設定ファイル３９１の媒体設定項目に設定値をセットする（ステップＳＥ６）。
【０１３８】
次いで、制御部３０は、報知部３７を制御して、設定が完了したことを報知する（ステップＳＥ７）。
【０１３９】
以上説明したように、本実施形態では、ＲＦＩＤタグＲ６が記憶する情報に、媒体ＩＤが含まれる。
記録装置１は、タグ通信装置１６の読取結果に基づいて取得した媒体ＩＤをホストコンピューター３に送信する。ホストコンピューター３は、媒体ＩＤを管理装置４に送信する。管理装置４は、媒体ＩＤに基づいて、媒体設定情報を取得し、これら情報をホストコンピューター３に送信する。ホストコンピューター３は、媒体設定情報に基づいて記録媒体に関する設定を行う。ホストコンピューター３は、媒体設定情報を記録装置１に送信する。記録装置１は、媒体設定情報に基づいて記録媒体に関する設定を行う。
この構成によれば、タグ通信装置１６の読取結果に基づいて、記録装置１、及び、ホストコンピューター３により自動で記録媒体に関する設定が行われる。これにより、上述した第１実施形態で説明した効果と同様の効果を奏する。
さらに、本実施形態によれば、記録装置１、及び、ホストコンピューター３は、媒体ＩＤと媒体設定情報とを対応付けるテーブルを記憶する必要がない。一方、管理装置４で、当該テーブルを一元管理でき、テーブルの内容に変更がある場合は、管理装置４のテーブルの内容を変更すればよく、メンテナンスが容易である。
【０１４０】
＜第４実施形態＞
次いで、第４実施形態について説明する。
図１０は、第４実施形態に係る記録システム２ｃの構成を示す図である。
以下の第４実施形態の説明では、第３実施形態と同様の構成要素については、同一の符号を付し、その詳細な説明を省略する。
【０１４１】
図１０に示すように、記録システム２ｃは、記録装置１と、ホストコンピューター３と、管理装置４と、を備える。
記録装置１は、ネットワーク通信部４０を備える。
ネットワーク通信部４０は、制御部３０の制御で、インターネットを含んで構成されたネットワークＮを介して、所定の通信規格に従って、管理装置４と通信する。
【０１４２】
図１１は、記録装置１に新たにロール紙Ｒを収容する場合の、第４実施形態に係る記録装置１、ホストコンピューター３、及び、管理装置４の動作を示すフローチャートである。図１１（Ａ）は記録装置１の動作を、（Ｂ）はホストコンピューター３の動作を、（Ｃ）は管理装置４の動作を示す。
【０１４３】
なお、本実施形態では、ＲＦＩＤタグＲ６が記憶する情報は、第２、３実施形態と同様、媒体設定情報ではなく、媒体ＩＤである。
【０１４４】
図１１（Ａ）のフローチャートの前に、ユーザーにより、記録装置１へのロール紙Ｒの収容が行われる。
【０１４５】
図１１（Ａ）に示すように、記録装置１の制御部３０は、ＲＦＩＤ読取処理の実行が指示されたか否かを監視する（ステップＳＨ１）。
【０１４６】
ＲＦＩＤ読取処理の実行が指示された場合（ステップＳＨ１：ＹＥＳ）、制御部３０は、ＲＦＩＤ読取処理を実行する（ステップＳＨ２）。
【０１４７】
次いで、制御部３０は、タグ通信装置１６から入力された読取結果を示す情報に基づいて、媒体ＩＤを取得する（ステップＳＨ３）。
【０１４８】
次いで、制御部３０は、ネットワーク通信部４０を制御して、ステップＳＨ３で取得した媒体ＩＤを、管理装置４に送信する（ステップＳＨ４）。ステップＳＨ４で、制御部３０は、媒体ＩＤと併せて、ホストコンピューター３のアクセス先のアドレス等、管理装置４がホストコンピューター３と通信する際に必要な情報を、送信する。制御部３０は、当該情報を管理する。
また、制御部３０は、管理装置４のアクセス先のアドレス等、管理装置４と通信するのに必要な情報を管理する。ステップＳＨ４で、制御部３０は、管理する情報に基づいて、管理装置４との間で所定の通信規格に準拠したコネクションを確立し、確立したコネクションにより、媒体ＩＤを送信する。
【０１４９】
図１１（Ｃ）に示すように、管理装置４の管理装置制御部６０は、管理装置ネットワーク通信部６２を制御して、媒体ＩＤと、ホストコンピューター３と通信する場合に必要な情報と、を受信する（ステップＳＪ１）。
【０１５０】
次いで、管理装置制御部６０は、管理装置記憶部６１が記憶する管理用媒体ＩＤテーブル６１１を参照する（ステップＳＪ２）。
【０１５１】
次いで、管理装置制御部６０は、ステップＳＪ１で受信した媒体ＩＤをキーとして管理用媒体ＩＤテーブル６１１を参照し、対応するレコードを特定し、媒体設定情報を取得する（ステップＳＪ３）。
【０１５２】
次いで、管理装置制御部６０は、管理装置ネットワーク通信部６２を制御して、ステップＳＪ３で取得した媒体設定情報を、ホストコンピューター３に送信する（ステップＳＪ４）。ステップＳＪ４で、管理装置制御部６０は、ステップＳＪ１で受信した、ホストコンピューター３と通信するのに必要な情報に基づいて、ホストコンピューター３との間でコネクションを確立し、コネクションにより、情報を送信する。
【０１５３】
図１１（Ｂ）に示すように、ホストコンピューター３の制御装置制御部５０は、制御装置ネットワーク通信部５５を制御して、媒体設定情報を受信する（ステップＳＩ１）。
【０１５４】
次いで、制御装置制御部５０は、ステップＳＩ１で受信した媒体設定情報に基づいて、制御用設定ファイル５３１の媒体設定項目に設定値をセットする（ステップＳＩ２）。
【０１５５】
次いで、制御装置制御部５０は、制御装置通信部５４を制御して、媒体設定情報を記録装置１に送信する（ステップＳＩ３）。
【０１５６】
図１１（Ａ）に示すように、記録装置１の制御部３０は、通信部３８を制御して、媒体設定情報を受信する（ステップＳＨ５）。
【０１５７】
次いで、制御部３０は、ステップＳＨ５で受信した媒体設定情報に基づいて、設定ファイル３９１の媒体設定項目に設定値をセットする（ステップＳＨ６）。
【０１５８】
次いで、制御部３０は、報知部３７を制御して、設定が完了したことを報知する（ステップＳＨ７）。
【０１５９】
以上説明したように、本実施形態では、ＲＦＩＤタグＲ６が記憶する情報に、媒体ＩＤが含まれる。
記録装置１は、タグ通信装置１６の読取結果に基づいて取得した媒体ＩＤを管理装置４に送信する。管理装置４は、媒体ＩＤに基づいて、媒体設定情報を取得し、これら情報をホストコンピューター３に送信する。ホストコンピューター３は、媒体設定情報に基づいて記録媒体に関する設定を行う。ホストコンピューター３は、媒体設定情報を記録装置１に送信する。記録装置１は、媒体設定情報に基づいて記録媒体に関する設定を行う。
この構成によれば、タグ通信装置１６の読取結果に基づいて、記録装置１、及び、ホストコンピューター３により自動で記録媒体に関する設定が行われる。これにより、上述した第１実施形態で説明した効果と同様の効果を奏する。
さらに、本実施形態によれば、記録装置１、及び、ホストコンピューター３は、媒体ＩＤと媒体設定情報とを対応付けるテーブルを記憶する必要がない。一方、管理装置４で、当該テーブルを一元管理でき、テーブルの内容に変更がある場合は、管理装置４のテーブルの内容を変更すればよく、メンテナンスが容易である。
【０１６０】
＜第５実施形態＞
次いで、第５実施形態について説明する。
第５実施形態に係る記録システム２ｄは、図１０で示す第４実施形態に係る記録システム２ｃと同様の構成を有する。
【０１６１】
図１２は、記録装置１に新たにロール紙Ｒを収容する場合の、第５実施形態に係る記録装置１、ホストコンピューター３、及び、管理装置４の動作を示すフローチャートである。図１２（Ａ）は記録装置１の動作を、（Ｂ）はホストコンピューター３の動作を、（Ｃ）は管理装置４の動作を示す。
【０１６２】
なお、本実施形態では、ＲＦＩＤタグＲ６が記憶する情報は、第２、３、４実施形態と同様、媒体設定情報ではなく、媒体ＩＤである。
【０１６３】
図１２（Ａ）のフローチャートの前に、ユーザーにより、記録装置１へのロール紙Ｒの収容が行われる。
【０１６４】
図１２（Ａ）に示すように、記録装置１の制御部３０は、ＲＦＩＤ読取処理の実行が指示されたか否かを監視する（ステップＳＫ１）。
【０１６５】
ＲＦＩＤ読取処理の実行が指示された場合（ステップＳＫ１：ＹＥＳ）、制御部３０は、ＲＦＩＤ読取処理を実行する（ステップＳＫ２）。
【０１６６】
次いで、制御部３０は、タグ通信装置１６から入力された読取結果を示す情報に基づいて、媒体ＩＤを取得する（ステップＳＫ３）。
【０１６７】
次いで、制御部３０は、ネットワーク通信部４０を制御して、ステップＳＫ３で取得した媒体ＩＤを、管理装置４に送信する（ステップＳＫ４）。
制御部３０は、管理装置４のアクセス先のアドレス等、管理装置４と通信するのに必要な情報を管理する。ステップＳＫ４で、制御部３０は、管理する情報に基づいて、管理装置４との間で所定の通信規格に準拠したコネクションを確立し、確立したコネクションにより、媒体ＩＤを送信する。
【０１６８】
図１２（Ｃ）に示すように、管理装置４の管理装置制御部６０は、管理装置ネットワーク通信部６２を制御して、媒体ＩＤを受信する（ステップＳＭ１）。
【０１６９】
次いで、管理装置制御部６０は、管理装置記憶部６１が記憶する管理用媒体ＩＤテーブル６１１を参照する（ステップＳＭ２）。
【０１７０】
次いで、管理装置制御部６０は、ステップＳＪ１で受信した媒体ＩＤをキーとして管理用媒体ＩＤテーブル６１１を参照し、対応するレコードを特定し、媒体設定情報を取得する（ステップＳＭ３）。
【０１７１】
次いで、管理装置制御部６０は、管理装置ネットワーク通信部６２を制御して、ステップＳＪ３で取得した媒体設定情報を、記録装置１に送信する（ステップＳＭ４）。ステップＳＭ４で、管理装置制御部６０は、記録装置１との間で確立したコネクションにより、情報を送信する。
【０１７２】
図１２（Ａ）に示すように、記録装置１の制御部３０は、通信部３８を制御して、媒体設定情報を受信する（ステップＳＫ５）。
【０１７３】
次いで、制御部３０は、ステップＳＫ５で受信した媒体設定情報に基づいて、設定ファイル３９１の媒体設定項目に設定値をセットする（ステップＳＫ６）。
【０１７４】
次いで、制御部３０は、報知部３７を制御して、設定が完了したことを報知する（ステップＳＫ７）。
【０１７５】
次いで、制御部３０は、通信部３８を制御して、媒体設定情報を、ホストコンピューター３に送信する（ステップＳＫ８）。
【０１７６】
図１２（Ｂ）に示すように、ホストコンピューター３の制御装置制御部５０は、制御装置通信部５４を制御して、媒体設定情報を受信する（ステップＳＭ１）。
【０１７７】
次いで、制御装置制御部５０は、ステップＳＭ１で受信した媒体設定情報に基づいて、制御用設定ファイル５３１の媒体設定項目に設定値をセットする（ステップＳＭ２）。
【０１７８】
以上説明したように、本実施形態では、ＲＦＩＤタグＲ６が記憶する情報に、媒体ＩＤが含まれる。
記録装置１は、タグ通信装置１６の読取結果に基づいて取得した媒体ＩＤを管理装置４に送信する。管理装置４は、媒体ＩＤに基づいて、媒体設定情報を取得し、これら情報を記録装置１に送信する。記録装置１は、媒体設定情報に基づいて記録媒体に関する設定を行う。また、記録装置１は、媒体設定情報をホストコンピューター３に送信する。ホストコンピューター３は、媒体設定情報に基づいて記録媒体に関する設定を行う。
この構成によれば、タグ通信装置１６の読取結果に基づいて、記録装置１、及び、ホストコンピューター３により自動で記録媒体に関する設定が行われる。これにより、上述した第１実施形態で説明した効果と同様の効果を奏する。
さらに、本実施形態によれば、記録装置１、及び、ホストコンピューター３は、媒体ＩＤと媒体設定情報とを対応付けるテーブルを記憶する必要がない。一方、管理装置４で、当該テーブルを一元管理でき、テーブルの内容に変更がある場合は、管理装置４のテーブルの内容を変更すればよく、メンテナンスが容易である。
【０１７９】
なお、上述した実施の形態は、あくまでも本発明の一態様を示すものであり、本発明の範囲内で任意に変形および応用が可能である。
また、上述した実施形態では、記録装置１の記録方式は、シリアルインクジェット方式であった。しかしながら、記録装置１の記録方式は、例示したものに限らない。すなわち、記録方式にかかわらず、記録媒体を収納する記録装置であれば、本発明を適用可能である。
また、記録装置１とホストコンピューター３との間で媒体設定情報を送受信する場合、すべての設定情報を送信しても良いし、送信先において必要な設定情報だけを送信しても良い。例えば、媒体設定情報のうち、用紙形態、ラベル間ギャップ、ブラックマーク間隔などは、記録装置１に必要な設定情報であり、ホストコンピューター３には必ずしも送信する必要はない。
また、図を用いて説明した各機能ブロックはハードウェアとソフトウェアにより任意に実現可能であり、特定のハードウェア構成を示唆するものではない。
【符号の説明】
【０１８０】
１…記録装置、２…記録システム、３…ホストコンピューター（制御装置）、４…管理装置、１０…記録ヘッド（記録部）、１６…タグ通信装置１６（無線通信部）、３０…制御部、３７…報知部、５０…制御装置制御部、６０…管理装置制御部、Ｒ…ロール紙（記録媒体）。
【図１】
2016036916.tif 000003
【図２】
2016036916.tif 000004
【図３】
2016036916.tif 000005
【図４】
2016036916.tif 000006
【図５】
2016036916.tif 000007
【図６】
2016036916.tif 000008
【図７】
2016036916.tif 000009
【図８】
2016036916.tif 000010
【図９】
2016036916.tif 000011
【図１０】
2016036916.tif 000012
【図１１】
2016036916.tif 000013
【図１２】
2016036916.tif 000014